(57)【要約】  広告、ロゴ、スローガン、コンテスト告知、グラフィックス、ウェブサイトアドレス、エッチング、または、飲料の消費者をターゲットとする他のマーケティングメッセージ、販売促進メッセージもしくは情報メッセージを入れるのに十分幅広く、かつ長い翼形飲料缶プルタブ（１０）。翼形缶プルタブ（１０）は、缶から取り外し、その滑らかで丸い縁部およびコンパクトさのために負傷を引き起こすことなくポケットにしまうことができる。翼形缶プルタブ（１０）は、取り外した際に缶の中に落ちて、負傷または窒息の危険を招かない程十分大きい。翼形缶プルタブは、タブを持ち上げて缶の開口部をより容易に作動させるために、指の挿入を受け入れるＵ字形リフト端部（ＩＯＣ）を有する。翼形缶プルタブの曲線形状Ｕ字形リフト端部（ＩＯＣ）はまた、頭を遠く後ろに傾けすぎる必要なく、缶から飲料を消費することができるように、鼻の隔壁を収める。【選択図】図２
2015504029.tif 000002
【特許請求の範囲】
【請求項１】
両側に２つの翼部が配置された翼形缶プルタブ構造と、
前記２つの翼部間の前記翼形缶プルタブ構造の最も広い面の中間点に配置されたＵ字形リフト端部と、
前記Ｕ字形リフト端部の真向かいに配置され、脆弱な缶シールの上に延在する、前記翼形缶プルタブ構造上の半円鼻端部と、
前記翼形缶プルタブ構造を缶の口部の上に枢動可能に確実に保持するために、中央缶リベットの上に配置された中央締結舌部およびヒンジ構造と
を含むことを特徴とする缶プルタブ。
【請求項２】
請求項１に記載の缶プルタブにおいて、飲料缶プルタブであることを特徴とする缶プルタブ。
【請求項３】
請求項１に記載の缶プルタブにおいて、任意の寸法の指を挿入することができ、前記半円鼻端部を作動させ、前記脆弱な缶端部シールに下向きの圧力をかけて前記缶を開けるために、前記Ｕ字形リフト端部が、前記缶端部表面から数ミリメートルの範囲内で隆起していることを特徴とする缶プルタブ。
【請求項４】
請求項１に記載の缶プルタブにおいて、前記翼形缶プルタブ構造が、アルミニウム、プラスチックまたは合金などの頑丈な材料から継ぎ目なく構成されていることを特徴とする缶プルタブ。
【請求項５】
請求項１に記載の缶プルタブにおいて、前記２つの翼部を備えた前記翼形缶プルタブ構造が、前記翼形缶プルタブ構造の表面および裏面の両方に、広告、マーケティングメッセージ、販売促進コンテストメッセージ、ロゴ、スローガン、グラフィックデザインエッチングなどを入れるための大きい表面を提供することを特徴とする缶プルタブ。
【請求項６】
請求項１に記載の缶プルタブにおいて、前記翼形缶プルタブ構造の前記大きい寸法により、前記缶プルタブ構造が前記飲料缶の中に落下して、窒息および負傷の危険を引き起こすのを防ぐことを特徴とする缶プルタブ。
【請求項７】
請求項１に記載の缶プルタブにおいて、前記翼形缶プルタブ構造を前記缶から取り外し、その滑らかで丸い縁部およびコンパクトさのために負傷することなくキャッシュレジスタにしまうか、ポケットに移すことができることを特徴とする缶プルタブ。
【請求項８】
請求項１に記載の缶プルタブにおいて、前記翼形缶プルタブ構造の前記Ｕ字形リフト端部が、人が頭を最小限後ろに傾けるだけで前記缶から直接飲むことができるように、鼻隔壁を収めるように設計されていることを特徴とする缶プルタブ。
【請求項９】
請求項１に記載の缶プルタブにおいて、前記翼形缶プルタブ構造の前記翼部の最外縁部が、缶を積み重ねることができる十分な空間を残すために、缶リムの外縁部から十分凹んでいることを特徴とする缶プルタブ。
【請求項１０】
広告、マーケティングメッセージ、スローガン、ロゴ、グラフィックスおよび他のメッセージを缶プルタブ上に表示するためのシステムにおいて、
両側に２つの翼部が配置された翼形缶プルタブ構造と、
前記翼形缶プルタブ構造の表面および裏面の両方への情報、イラストまたはロゴの配置と、
飲料缶の口部の上への前記翼形缶プルタブ構造の枢動可能で確実な配置と
を含むことを特徴とするシステム。
【発明の詳細な説明】
【技術分野】
【０００１】
本発明は、一般に飲料容器上のプルタブに関する。より詳細には、本発明は、プルタブの上面および下面の両方に、マーケティングメッセージまたはロゴを入れるのに十分幅広い「翼」を備えた幅広缶プルタブに関する。
【背景技術】
【０００２】
様々な種類の容器、特に飲料缶にプルタブを使用することは、当該技術分野でよく知られている。最も初期の飲料缶プルタブは、作動させると缶端部から離れ、缶の内容物を飲む前に捨てなければならない種類のものであった。これらのリングタブは広く知られ、Ｃｕｄｚｉｋの米国特許第３，３４９，９４９号明細書に述べられたが、これらのリングタブに関連して複数の問題があった。一旦缶から取り外したリングタブは、取り外した後に缶の中に戻り落ちる傾向があり、缶の内容物を飲む人に窒息および負傷の危険の可能性を招いた。さらに、取り外したタブは地面に捨てると、タブの鋭利な縁部を踏む人に深い切り傷を負わせることがあった。
【０００３】
その後、引き抜きリングタブは、取り外し可能リングタブに関連する危険を回避するために作動後、缶端部に取り付けられたままであるように構成されたステイオンプルタブに取って代わられた。このようなステイオンプルタブの例が、米国特許第３，９６７，７５２号明細書に述べられている。今日販売されている飲料および他の缶のステイオンプルタブは一般に、わずかな違いはあるものの、設計および構造は同じである。それらの大半は、曲線リフト部および鼻端部を備えた細長い矩形形状を有し、鼻端部が脆弱な缶上部シールの上に延在し、シールは、リフト端部を持ち上げて、鼻端部を介してシールに下向きの圧力をかけることによって破壊される。鼻端部にある中央締結舌部およびヒンジにより、缶の中央リベットにプルタブを固定することができる。この中央リベットは、支点およびてことして働き、脆弱なシールを破壊して缶を開けるのに十分な下向きの圧力をプルタブの鼻端部に与えると同時に、シールを破壊した後に、タブが缶の鼻端部に取り付けられたまま残ることができるようにする。
【０００４】
飲料缶、衣服および他の品物を含む様々な物体の表面に広告を載せることによる製品のマーケティングは、数十年間盛んになっている。消費者によく用いられている物品および物体に広告を載せると、最大数の消費者に届く可能性があり、宣伝された製品の売上上昇の関連利益が得られる。缶入りおよびボトル入りの両方の飲料が世界的に人気であることから、戦略的にこれらの飲料缶および飲料ボトルに広告を載せることによって、製品を売り込む絶好の機会が得られる。しかしながら、缶の面に広告および他の販売促進企画を載せることは、十分に目立たないため、販売業者へのアピールに限りがある。
【０００５】
ボトルキャップは通常、ボトルネックから取り外されるとすぐに捨てられ、ボトルキャップの内部に載せられた印刷物を読むことにほとんど注意が払われないことが主な原因で、ボトルキャップの裏面に印刷された広告、販売促進宣伝およびロゴは、限られた成功しか収められていない。さらに、従来のボトルキャップの鋭利な縁部は、衣服ポケットにボトルキャップをしまうことを思いとどませる。一方、飲料缶端部は、プルタブ自体に広告、ロゴ、および情報材料または販売促進材料を載せることによって、マーケティングの理想的な伝達手段を提供する。これは、消費者がプルタブを作動させるために缶の上部を見なければならず、プルタブ上のメッセージを目にすることを事実上保証するため、販売業者にとって魅力的である。
【０００６】
現在の缶プルタブの欠点は、その小さい形状および寸法であり、印刷され、エッチングされ、または切り出されたいかなる意味のあるデザインも缶プルタブの上に配置することができない。その特有の翼形のデザインおよび構造による本発明のプルタブは、広告、ロゴまたは販売促進企画および関連材料を載せるのに十分大きい表面積を提供することができる缶プルタブを得るために、先行技術の欠陥を克服する。
【発明の概要】
【０００７】
本発明は、幅広翼形缶プルタブである。その特有のデザイン、構造、および缶の上部への非常に目立つ配置によって、本発明の翼プルタブは、大衆に届くように、広告、ロゴ、情報メッセージングおよび販売促進材料を載せるための拡張した表面を提供することで、一般的な実用的缶プルタブを、消費者製品の意味のある販売促進宣伝の伝達手段および出発点として想定する。
【０００８】
本発明の一例示的実施形態では、本発明の缶プルタブは、両側に１対の翼を備えた継ぎ目のない翼形プルタブであり、翼の最も広い面が、缶の周囲の一端部で飲料缶の上面に広がっている。本発明の本実施形態では、翼タブの最も広い面が、缶端部の外側リムに平行であるが、缶の積重ねを妨げないように、缶リムから十分内側にはめ込まれている。
【０００９】
本発明の一例示的実施形態では、翼タブの２つの翼間の中央にあるＵ字形湾曲インデント部が、タブを持ち上げるために人指し指または中指を入れるのに十分な空間を備えた翼タブのリフト端部を形成するように、缶端部の表面から数ミリメートル隆起しており、かつ従来の缶プルタブで経験された不快感および爪の損傷を最小限に抑える。リフト端部上のインデント部の微妙な上向きの湾曲によっても、缶を開けるための缶開封具を使用する必要がない。タブのリフト端部の湾曲におけるさらなる利点は、人が缶から直接飲む場合、鼻孔を仕切る隔壁が湾曲に収まり、人が飲料を自分の口へ注ぐために頭を後方へ傾けなければならない角度を最小化することである。本実施形態では、翼タブは、タブのリフト端部の真向かいに存在し、缶の脆弱なシールの上に位置する鼻端部を有する。
【００１０】
本発明の一例示的実施形態では、翼タブの幅広い翼幅により、広告、ロゴ、ウェブサイトアドレス、動機付けメッセージ、コンテストコード／ルール、グラフィックデザインの形態の情報、ならびに、消費者および一般大衆への宣伝のための他のそのような情報を印刷することができる。本発明の本実施形態では、翼タブは、それが取り付けられている特定の缶端部に応じて、タブの上面および底面の両方にロゴまたはメッセージ用のおよそ幅４０〜４５ｍｍ、高さ２０〜２５ｍｍの領域を提供する。本発明の本実施形態では、レーザ切り取りしたものまたはエッチングしたものもまた、タブの翼幅に配置してもよい。
【００１１】
本発明のさらに別の実施形態では、翼タブは典型的に、アルミニウムを疲労させるために、軸線、または中央リベットに翼タブを連結する締結舌部に沿って前後に３回繰り返して動かすことによって、缶から外すことができる。次いで、翼タブが容易に容器から離れ、後で見直すために広告、ロゴもしくは他のメッセージを保存し、または、タブを広告もしくはロゴに関連する景品と交換するために残しておくことができる。翼タブの本実施形態では、その滑らかな縁部を備えたタブのコンパクトな寸法は、衣服ポケットに入れ、または、小売り業者のキャッシュレジスタにしまうことが容易であるために、消費者および小売り業者にとって魅力的である。
【００１２】
本発明の翼タブのすべての実施形態では、翼タブが缶の積重ねを妨げないように、タブの外縁部は、缶リムの外縁部から約４〜６ｍｍ凹んでいる。
【００１３】
このように提供する本発明の概要および明細書全体において、一実施形態は概念化されるような本発明の一実施例または一実装形態であるため、「一例示的実施形態」、「一実施形態」、「さらに別の実施形態」または「関連する実施形態」の様々な表現は、必ずしもすべてが本発明の同じ実施形態に関するものではない。むしろ、様々な実施形態のこれらの表現は、一実施形態に関連して記述する特定の構造、特徴または特性が、必ずしも本発明のすべての実施形態ではないが、少なくともいくつかの実施形態に含まれることを意味する。さらに明瞭にするために、本発明の様々な特徴は、単一の実施形態の文脈において述べてもよいが、別々にまたは任意の適切な組合せで提供してもよい。反対に、明瞭にするために、本発明は、別々の実施形態の文脈において本明細書で述べてもよいが、単一の実施形態で実施してもよい。
【００１４】
一般に、本発明の概要に述べるような本発明の様々な実施形態の特徴および利点は、添付の図面、本発明の詳細な説明および添付の特許請求の範囲を参照して検討すると、さらに理解され、当業者にとって明白になる。
【図面の簡単な説明】
【００１５】
【図１】図１は、本発明の翼タブの平面図である。
【図２】図２は、飲料缶端部に配置されるであろう本発明の翼タブの斜視図である。
【図３】図３は、翼タブの一例示的実施形態の斜視図であり、タブの形状および寸法、ならびに、タブ表面に情報、イラストまたはロゴを入れるその可能性を示す。
【発明を実施するための形態】
【００１６】
本発明は、先行技術の缶プルタブに対する改良形態である。本発明の缶プルタブは、翼を広げたコウモリの一般的な形状に似ている幅広い翼形デザインを有する。翼の継ぎ目のない構造は、見て美しく、缶プルタブとしてそれを使用するに際し、人間工学的に実用的である。タブの幅広い表面積により、タブの上面および底面の両方に、広告、マーケティングメッセージ、ロゴおよび他の販売促進材料を印刷および表示することができる。
【００１７】
ここで図、特に図１を参照すると、缶の外側の翼プルタブ１０の平面図を示し、その全体的な翼形デザイン、および先行技術の缶プルタブと異なる重要な機能部分を示す。この図では、翼プルタブ１０の継ぎ目のない翼構造が、翼タブ１０の全翼幅の中央に配置されたリフト端部を示す中間Ｕ字形湾曲インデント部１０Ｃを備えた、右翼１０Ａおよび左翼１０Ｂからなることがわかる。リフト端部１０Ｃは、缶の中に含まれる飲料を消費するのに、任意の寸法の指を挿入することができ、タブの鼻端部１０Ｄを作動させて、脆弱な缶端部シールに下向きの圧力をかけて缶を開けるために、缶表面から数ミリメートルの範囲内で隆起している。曲線Ｕ字形リフト端部１０Ｃはまた、人が飲料を口へ注ぐために頭を後方へ傾けることなく、缶から直接飲むことができるように、鼻の隔壁上に収まるように設計されている。翼プルタブ１０のこの図では、翼プルタブ１０を缶の中央リベットに固定するために、締結舌部およびヒンジ１０Ｅが鼻端部１０Ｄ内の中央に配置されている。
【００１８】
図２は、缶２０の上に配置され、かつ、翼タブ１０の中央締結舌部およびヒンジ１０Ｅによって缶端部表面２０Ａ上の中央リベットに取り付けられた翼プルタブ１０の斜視図である。この図の斜視図は、缶を積み重ねることができる十分な空間を、タブ翼１０Ａおよび１０Ｂの最外縁部と、缶２０リムの外縁部との間に残すように、翼タブ１０が配置されていることを示す。翼プルタブ１０はまた、鼻端部１０Ｄを介して作動工程を開始し、脆弱な缶シール２０Ｂを破壊するために、翼タブ１０の隆起した湾曲リフト端部１０Ｃの中に指を挿入することができる十分な空間をリフト端部１０Ｃと缶２０リムとの間に残すように配置されている。
【００１９】
図３は、翼プルタブ１０の一例示的実施形態の斜視図、および缶２０端部の上の翼プルタブ１０の配置である。図は、本発明の翼プルタブの幅広い翼幅にマーケティングメッセージを印刷する方法を実際に示したものである。図は、缶２０の上の、その翼１０Ａおよび１０Ｂと、リフト端部タブ１０Ｃと、鼻端部１０Ｄと、中央締結ヒンジ１０Ｅとを備えた翼プルタブの寸法、広がりおよび位置付けを示す。この図では、破壊され、缶端部に穴を露出している脆弱な缶シール２０Ｂを示し、翼プルタブが依然として缶の口部に取り付けられている。翼プルタブは、飲料を消費する前または後のどちらでも取り外すことができ、景品と交換するため、またはマーケティングメッセージを残しておくためにポケットにしまうことができる。
【００２０】
本発明の先の説明は、その図および様々な実施形態によって、本発明の範囲を限定するものと解釈されるべきでない。このように説明した本発明の実施形態は、以下の特許請求の範囲で述べるような本発明の精神および範囲から逸脱することなく、さらに変更してもよいことが理解されるべきであり、当業者にとって明白であるべきである。
【図１】
2015504029.tif 000003
【図２】
2015504029.tif 000004
【図３】
2015504029.tif 000005
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
容器（２０）の中央締結リベット（１０Ｅ）から、前記容器の周囲に隣接する第１の点まで直線的に延在するように構成された第１の突出部（１０Ａ）と、
前記容器の前記中央締結リベットから、前記容器の前記周囲に隣接する第２の点まで直線的に延在するように構成された第２の突出部（１０Ｂ）と、
前記容器の前記周囲に隣接する前記第１の点から、前記容器の前記周囲に隣接する前記第２の点まで延在するように構成された円弧であって、前記円弧の頂点に配置された凹形インデント部（１０Ｃ）を含む円弧と、
前記第１の突出部、前記第２の突出部および前記円弧によって画定された本体（１０）であって、前記本体は、前記本体に隣接して配置された前記容器の表面（２０Ａ）を覆うように構成された平面であり、情報が、前記容器の前記表面に隣接して位置付けされた前記本体の面に配置されるように構成された本体と、
前記本体および前記中央締結リベットに連結され、前記本体を前記容器に固定するように構成された締結具（１０Ｅ）と
を含むことを特徴とするプルタブ。
【請求項２】
請求項１に記載のプルタブにおいて、前記プルタブが前記容器の上に配置されるように構成され、前記容器が飲料缶であることを特徴とするプルタブ。
【請求項３】
請求項１に記載のプルタブにおいて、前記凹形インデント部が、湾曲した外表面を含むｕ字形インデント部であり、前記本体の前記表面から隆起していることを特徴とするプルタブ。
【請求項４】
請求項１に記載のプルタブにおいて、前記本体の幅が少なくとも３３ｍｍであり、前記第１の点および前記第２の点が、前記容器の外側リムから少なくとも４ｍｍのところに配置されていることを特徴とするプルタブ。
【請求項５】
請求項１に記載のプルタブにおいて、前記締結具によって前記容器に連結され、取り外し可能であることを特徴とするプルタブ。
【請求項６】
請求項１に記載のプルタブにおいて、前記本体が前記容器に連結されている場合に、人が前記容器から飲むことができるように、前記凹形インデント部が鼻の隔壁を受けるように構成されていることを特徴とするプルタブ。
【請求項７】
請求項１に記載のプルタブにおいて、前記第１の点および前記第２の点が、第２の容器を前記容器の上に積み重ねるための空間を残す位置に配置されていることを特徴とするプルタブ。
【請求項８】
プルタブの本体（１０）を作るステップにおいて、前記プルタブの前記本体が、容器（２０）の中央締結リベット（１０Ｅ）から、前記容器の周囲に隣接する第１の点まで直線的に延在するように構成された第１の突出部（１０Ｂ）と、前記容器の前記中央締結リベットから、前記容器の前記周囲に隣接する第２の点まで直線的に延在するように構成された第２の突出部（１０Ｂ）と、前記容器の前記周囲に隣接する前記第１の点から、前記容器の前記周囲に隣接する前記第２の点まで延在するように構成された円弧であって、前記円弧の頂点に配置された凹形インデント部（１０Ｃ）を含む円弧とを含み、前記本体が、前記第１の突出部、前記第２の突出部および前記円弧によって画定された平面であり、かつ前記本体に隣接して配置された前記容器の表面（２０Ａ）を覆うように構成されたステップと、
前記容器の表面に隣接して位置付けされた前記本体の面に情報を配置するステップと
を含むことを特徴とする方法。
【請求項９】
請求項８に記載の方法において、前記本体を締結具によって前記容器に連結するステップを含むことを特徴とする方法。
【請求項１０】
請求項９に記載の方法において、前記本体を、翼弦に関連する軸に沿って前記容器から取り外すステップをさらに含むことを特徴とする方法。
【請求項１１】
請求項８に記載の方法において、前記本体が、前記容器の上に配置されるように構成されたプルタブであり、前記容器が飲料缶であることを特徴とする方法。
【請求項１２】
請求項８に記載の方法において、前記凹形インデント部が、湾曲した外表面を含むｕ字形インデント部であり、前記本体の前記表面から隆起していることを特徴とする方法。
【請求項１３】
請求項８に記載の方法において、前記本体の幅が少なくとも３３ｍｍであり、前記第１の点および前記第２の点が、前記容器の外側リムから少なくとも４ｍｍのところに配置されていることを特徴とする方法。
【請求項１４】
請求項８に記載の方法において、前記第１の点および前記第２の点が、第２の容器を
前記容器の上に積み重ねるための空間を残す位置に配置されていることを特徴とする方法。
【手続補正書】
【提出日】平成26年5月29日(2014.5.29)
【手続補正１】
【補正対象書類名】特許請求の範囲
【補正対象項目名】全文
【補正方法】変更
【補正の内容】
【特許請求の範囲】
【請求項１】
容器の中央締結リベットから、前記容器の周囲に隣接する第１の点まで延在するように構成された第１の突出部と、
前記容器の前記中央締結リベットから、前記容器の前記周囲に隣接する第２の点まで延在するように構成された第２の突出部と、
前記容器の前記周囲に隣接する前記第１の点から、前記容器の前記周囲に隣接する前記第２の点まで延在するように構成された円弧であって、前記円弧が前記円弧の頂点に配置された凹形インデント部を含み、前記凹形インデント部が、本体の表面から隆起しており、湾曲した頂面および湾曲した前面を含む円弧と、
前記第１の突出部、前記第２の突出部によって画定された本体であって、前記本体が前記本体の周囲内に配置された前記容器の全表面を覆うように構成されており、情報が、前記容器の前記表面に隣接して位置付けされた前記本体の面に配置されるように構成され、かつ前記本体が前記本体の前記周囲内の連続面からなる本体と、
前記本体および前記中央締結リベットに連結され、前記本体を前記容器に固定するように構成された締結具であって、前記円弧の前記湾曲した頂面が、前記円弧の前記頂点から前記締結具まで延在する締結具と
を含むことを特徴とするプルタブ。
【請求項２】
請求項１に記載のプルタブにおいて、前記プルタブが前記容器の上に配置されるように構成され、前記容器が飲料缶であることを特徴とするプルタブ。
【請求項３】
請求項１に記載のプルタブにおいて、前記凹形インデント部が、湾曲した外表面を含むｕ字形インデント部であることを特徴とするプルタブ。
【請求項４】
請求項１に記載のプルタブにおいて、前記本体の幅が少なくとも３３ｍｍであることを特徴とするプルタブ。
【請求項５】
請求項１に記載のプルタブにおいて、前記凹形インデント部が、前記本体の前記表面から隆起していることを特徴とするプルタブ。
【請求項６】
請求項１に記載のプルタブにおいて、前記第１の点および前記第２の点が、前記容器の外側リムから少なくとも４ｍｍのところに配置されていることを特徴とするプルタブ。
【請求項７】
請求項１に記載のプルタブにおいて、前記締結具によって前記容器に連結され、取り外し可能であることを特徴とするプルタブ。
【請求項８】
請求項１に記載のプルタブにおいて、前記第１の突出部および前記第２の突出部が、前記容器の前記表面にわたる翼弦を含むことを特徴とするプルタブ。
【請求項９】
請求項１に記載のプルタブにおいて、前記本体が前記容器に連結されている場合に、人が前記容器から飲むことができるように、前記凹形インデント部が鼻の隔壁を受けるように構成されていることを特徴とするプルタブ。
【請求項１０】
請求項１に記載のプルタブにおいて、前記第１の点および前記第２の点が、第２の容器を前記容器の上に積み重ねるための空間を残す位置に配置されていることを特徴とするプルタブ。
【請求項１１】
プルタブの本体を作るステップにおいて、前記プルタブの前記本体が、容器の中央締結リベットから、前記容器の周囲に隣接する第１の点まで延在するように構成された第１の突出部と、前記容器の前記中央締結リベットから、前記容器の前記周囲に隣接する第２の点まで延在するように構成された第２の突出部と、前記容器の前記周囲に隣接する前記第１の点から、前記容器の前記周囲に隣接する前記第２の点まで延在するように構成された円弧であって、前記円弧の頂点に配置された凹形インデント部を含む円弧とを含み、前記凹形インデント部が、前記本体の前記表面から隆起しており、湾曲した頂面および湾曲した前面を含み、前記本体が、前記第１の突出部、前記第２の突出部および前記円弧によって画定された平面であり、前記本体の前記周囲内に配置された前記容器の全表面を覆うように構成され、前記本体の前記周囲内の連続面からなり、かつ前記円弧の前記湾曲した頂面が、前記円弧の前記頂点から前記中央締結リベットまで延在するステップと、
前記容器の表面に隣接して位置付けされた前記本体の面に情報を配置するステップと
を含むことを特徴とする方法。
【請求項１２】
請求項１１に記載の方法において、前記本体を締結具によって前記容器に連結するステップを含むことを特徴とする方法。
【請求項１３】
請求項１２に記載の方法において、前記本体を、翼弦に関連する軸に沿って前記容器から取り外すステップをさらに含むことを特徴とする方法。
【請求項１４】
請求項１１に記載の方法において、前記本体が、前記容器の上に配置されるように構成されたプルタブであり、前記容器が飲料缶であることを特徴とする方法。
【請求項１５】
請求項１１に記載の方法において、前記凹形インデント部が、湾曲した外表面を含むｕ字形インデント部であることを特徴とする方法。
【請求項１６】
請求項１１に記載の方法において、前記本体の幅が少なくとも３３ｍｍであることを特徴とする方法。
【請求項１７】
請求項１１に記載の方法において、前記凹形インデント部が、前記本体の前記表面から隆起していることを特徴とする方法。
【請求項１８】
請求項１１に記載の方法において、前記第１の点および前記第２の点が、前記容器の外側リムから少なくとも４ｍｍのところに配置されていることを特徴とする方法。
【請求項１９】
請求項１１に記載の方法において、前記第１の突出部および前記第２の突出部が、前記容器の前記表面にわたる翼弦を含むことを特徴とする方法。
【請求項２０】
請求項１１に記載の方法において、前記第１の点および前記第２の点が、第２の容器を前記容器の上に積み重ねるための空間を残す位置に配置されていることを特徴とする方法。
【国際調査報告】
2015504029.tif 000006
2015504029.tif 000007